(57)【要約】【課題】重ね合わせる形態で蓄える場合に手間を掛けずに水平姿勢に重ね合わせ得る浄化槽の仕切壁を構成する。【解決手段】仕切壁Ｂの一方の壁面Ｓ１に対して部材取付け用の取付リブ５を突出形成し、この一方の壁面Ｓ１と反対側の他方の壁面Ｓ２に対して安定用リブ８を突出形成すると共に、この仕切壁Ｂの複数枚を壁面Ｓ１、Ｓ２が水平となる姿勢で積み重ねた際に安定用リブ８が、対向する仕切壁Ｂの取付リブ５に接触して、対向する壁面Ｓ１、Ｓ２を平行姿勢に設定するよう突出量を設定した。【選択図】　　　　図４
2004131146.tif 000002
【特許請求の範囲】
【請求項１】
浄化槽本体の内部に配置することにより、この内部空間を区画して複数の処理槽を形成する浄化槽の仕切壁であって、
この仕切壁の一方の壁面に対して部材取付け用の取付リブを突出形成し、この一方の壁面と反対側の他方の壁面に対して安定用リブを形成すると共に、この仕切壁の複数枚を壁面が水平となる姿勢で積み重ねた際に前記安定用リブが、対向する仕切壁の壁面、又は、対向する仕切壁の前記取付リブの少なくとも一方に接触して、対向する仕切壁の壁面同士を平行姿勢に設定するよう、その突出量を設定してある浄化槽の仕切壁。
【請求項２】
前記安定用リブが、前記取付リブと表裏の位置関係で重なり合う位置に配置されている請求項１記載の浄化槽の仕切壁。
【請求項３】
前記安定用リブのうち、対向する仕切壁の取付リブに接当する位置に配置されたものが、前記取付リブとの相対位置関係を維持する位置決め部を備えている請求項１又は２記載の浄化槽の仕切壁。
【請求項４】
前記安定用リブが、対向する仕切壁の前記取付リブに接触するものと、対向する仕切壁の壁面とに接触するものとの複数個形成されている請求項１〜３のいずれか１項に記載の浄化槽の仕切壁。
【発明の詳細な説明】
【０００１】
【発明の属する技術分野】
本発明は、浄化槽本体の内部に配置することにより、この内部空間を区画して複数の処理槽を形成する浄化槽の仕切壁に関する。
【０００２】
【従来の技術】
従来、上記のように浄化槽本体の内部に仕切板（本発明の仕切壁）を配置して内部空間を区画して複数の処理槽を係止した浄化槽が存在する（例えば、特許文献１参照）。
【０００３】
【特許文献１】
特開２００１−９７４８１号公報　（段落番号〔００１３〕〜〔００２２〕、図１、図５、図６）
【０００４】
【発明が解決しようとする課題】
従来からの浄化槽において、浄化槽本体と、この本体の内部に配置される仕切壁とはＦＲＰ（Ｆｉｂｅｒ　Ｒｅｉｎｆｏｒｃｅｄ　Ｐｌａｓｔｉｃｓ）で成るものであり、この浄化槽本体と仕切壁とは独立した工程で製造され、倉庫等に一時的に蓄えられた後、組立ラインに送られ組立られている。又、仕切壁を製造した後において一時的に蓄えられる状態を考えると、この仕切壁は、板状の成型物であるので、積み重ねる形態で蓄えており、このように積み重ねる際には、図７に示すように、パレットＰの上面に対して、夫々の間にスペーサｄを挟み込み、仕切壁Ｂの壁面同士が平行姿勢を維持する状態で仕切壁Ｂを重ね合わせ積み重ねている。仕切壁Ｂを重ね合わせる際にスペーサｄを必要とする理由は、仕切壁Ｂに突出形成された部材取付用の取付リブ０５の突出量が異なり、単純に積み重ねた場合には取付リブ０５が仕切壁Ｂの壁面に接触するので仕切壁Ｂの壁面同士が非平行となり、重ね合わせた際に不安定となり、しかも、偏った荷重が作用して仕切壁Ｂに反りを発生させることがあり、これらの不都合を解消する目的からである。
【０００５】
しかしながら、スペーサを挟み込み、積み重ねる形態で仕切壁を蓄える作業を考えた場合、仕切壁と仕切壁との間にスペーサを配置する作業は人為的に行わざるを得ず、手間が掛かるばかりか多数のスペーサを確保しなくてはならず、コストが嵩む面もあった。
【０００６】
本発明の目的は、積み重ねる形態で蓄える場合に手間を掛けずに水平姿勢に重ね合わせ得るよう浄化槽の仕切壁を合理的に構成する点にある。
【０００７】
【課題を解決するための手段】
本発明の請求項１に係る浄化槽の仕切壁の特徴、作用・効果は次の通りである。
〔特徴〕
浄化槽本体の内部に配置することにより、この内部空間を区画して複数の処理槽を形成する浄化槽の仕切壁において、この仕切壁の一方の壁面に対して部材取付け用の取付リブを突出形成し、この一方の壁面と反対側の他方の壁面に対して安定用リブを形成すると共に、この仕切壁の複数枚を壁面が水平となる姿勢で積み重ねた際に前記安定用リブが、対向する仕切壁の壁面、又は、対向する仕切壁の前記取付リブの少なくとも一方に接触して、対向する仕切壁の壁面同士を平行姿勢に設定するよう、その突出量を設定してある点にある。
【０００８】
〔作用・効果〕
上記特徴によると、仕切壁と仕切壁とを積み重ねた場合には、安定用リブが対向する仕切壁の壁面、又は、対向する仕切壁の取付リブに接触して壁面同士を平行姿勢に維持する。つまり、仕切壁を製造する際に取付リブの他に安定用リブを一体形成することにより、仕切壁と仕切壁とを積み重ねる際に、スペーサを挟み込む必要が無く、スペーサも必要としない。その結果、積み重ねる形態で蓄える場合に手間が掛からない浄化槽の仕切壁が合理的に構成された。
【０００９】
本発明の請求項２に係る浄化槽の仕切壁の特徴、作用・効果は次の通りである。
〔特徴〕
請求項１記載の浄化槽の仕切壁において、前記安定用リブが、前記取付リブと表裏の位置関係で重なり合う位置に配置されている点にある。
【００１０】
〔作用・効果〕
上記特徴によると、安定用リブが取付リブに対して表裏の位置関係で形成されているので、この安定用リブ、取付リブが形成された部位で厚みを増すことになり、例えば、表裏とも平坦な壁面に対して安定用リブを形成するものと比較して安定用リブ、取付リブとも強度が増す。その結果、安定用リブの形成位置の設定だけで、積み重ねた場合に高い強度で安定的に積み重ね状態を維持できるものとなった。
【００１１】
本発明の請求項３に係る浄化槽の仕切壁の特徴、作用・効果は次の通りである。
〔特徴〕
請求項１又は２記載の浄化槽の仕切壁において、前記安定用リブのうち、対向する仕切壁の取付リブに接当する位置に配置されたものが、前記取付リブとの相対位置関係を維持する位置決め部を備えている点にある。
【００１２】
〔作用・効果〕
上記特徴によると、仕切壁を積み重ねた場合には、安定用リブが対向する取付リブに接当した状態で位置決め部によって相対位置関係が維持されるので、仕切壁を高く積み重ねた場合でも、仕切壁夫々の相対位置関係を維持して、この積み重ねた仕切壁が横方向に変位して不安定な姿勢になる不都合を回避できる。その結果、高く積み重ねた場合でも仕切壁を安定的に保持できるものとなった。
【００１３】
本発明の請求項４に係る浄化槽の仕切壁の特徴、作用・効果は次の通りである。
〔特徴〕
請求項１〜３のいずれか１項に記載の浄化槽の仕切壁において、前記安定用リブが、対向する仕切壁の前記取付リブに接触するものと、対向する仕切壁の壁面とに接触するものとの複数個形成されている点にある。
【００１４】
〔作用・効果〕
上記特徴によると、仕切壁を積み重ねた状態において複数の安定用リブの一部は対向する仕切壁の取付リブに接触し、残りは対向する仕切壁の壁面に接触するものとなる。つまり、取付リブに接触する安定用リブは突出量を少なくでき、壁面に接触する安定用リブは端部位置のように垂れ下がりを発生しやすい部位の垂れ下がりを阻止できる。その結果、複数の安定用リブを適切に配置することにより仕切壁の変形を招くことなく安定的に支持できるものとなった。
【００１５】
【発明の実施の形態】
以下、本発明の実施の形態を図面に基づいて説明する。
図１及び図２には浄化槽本体Ａと、その内部に備えられる３枚の仕切壁Ｂとを示している。前記仕切壁Ｂは、浄化槽本体Ａの内部を複数の空間に区画し、このように区画した空間を原水の処理を行うための処理空間を形成するために機能する。浄化槽本体Ａと仕切壁Ｂは夫々ともＦＲＰ（Ｆｉｂｅｒ　Ｒｅｉｎｆｏｒｃｅｄ　Ｐｌａｓｔｉｃｓ）成形のうち、成形型を使用するＳＭＣ（シートモールディングコンパウンド）プレス成形法で製造されている。
【００１６】
前記浄化槽本体Ａは、原水流入口Ｉｎ、放流口Ｅｘ、蓋体を備える複数のマンホール部Ｈ夫々を有する上部部材１と、上方に開放する空間を有する下部部材２とで成り、上部部材１と下部部材２との接合面にはフランジ部１Ｆ、２Ｆを形成してある。仕切壁Ｂは下部部材２の内面に形成した溝状部２ｇに嵌め込むことにより縦壁状に配置して使用されるものであり、この仕切壁Ｂは、一方の壁面Ｓ１に複数の取付リブ５を一体的に突出形成し、この一方の面と反対側の他方の壁面Ｓ２に対して複数の安定用リブ８を一体的に突出形成してある。更に、安定用リブ８は、前記取付リブ５に対して表裏の位置で重なり合う位置関係で、かつ、平面視で安定用リブ８の長手方向と、取付リブ５の長手方向とが直交する姿勢となるように配置してある。
【００１７】
前記取付リブ５は浄化槽本体Ａの内部に対して浄化槽を構成する部材を取付ける際に取付部に使用する、あるいは、位置決め部等に使用されるものであり、前記安定用リブ８は複数の仕切壁Ｂを重ね合わせた際に、他方の仕切壁Ｂの取付リブ５に接触して、対向する仕切壁Ｂ同士を平行姿勢に設定するよう突出量を設定すると共に、この取付リブ５と、安定用リブ８とには夫々の相対位置関係を維持する位置決め部Ｔ、Ｔを形成してある。
【００１８】
前記取付リブ５に形成された位置決め部Ｔは、図３に示すように、取付リブ５の突出端を切欠く形態に成型して作り出した凹部６で成り、この凹部６は壁面Ｓ１と平行姿勢となる接触面６ａと、この接触面６ａを挟む位置で突出する形状となる一対の規制面６ｂとで成り、又、安定用リブ８に形成された位置決め部Ｔは、安定用リブ８の突出端を切欠く形態に成型して作り出した凹部９で成り、この凹部９は壁面Ｓ２と平行姿勢となる接触面９ａと、この接触面９ａを挟む位置で突出する形状となる一対の規制面９ｂとで成っている。
【００１９】
又、前述のように同じ成形型を用いて製造された仕切壁Ｂは、外周部位を研削する等の必要な加工を行った後に、パレットＰの上面に水平姿勢で重ね合わせる形態で積み重ねて一時的に蓄えた後、パレットＰの上面に積み重ねた状態で浄化槽の製造ラインに送られるものとなる。そして、このように仕切壁Ｂを積み重ねた場合には、図４に示すように、に取付リブ５の凹部６の接触面６ａと、安定用リブ８の凹部９の接触面９ａとが接触状態に達して、対向する仕切壁Ｂの壁面Ｓ１、Ｓ２を平行姿勢に維持すると共に、取付リブ５の外面に安定用リブ８の凹部９の一対の規制面９ｂが近接し、これと同様に、安定用リブ８の外面に取付リブ５の凹部６の一対の規制面６ｂが接近して相対移動を阻止するので、重ね合わせた仕切壁Ｂ夫々を精度高く位置決めすると同時に、対向する壁面Ｓ１、Ｓ２同士が相対的に横滑り方向への移動を阻止するものとなる。
【００２０】
尚、前記パレットＰの載置面には、複数の突出部Ｐａを形成してあり、このパレットＰの載置面の側に対して、仕切壁Ｂの何れの側の壁面Ｓ１、Ｓ２を対向させる姿勢で積み重ねても、このパレットＰに対して直接載置される仕切壁Ｂの壁面をパレットＰの底壁面に対して平行姿勢に維持できるものにしている。
【００２１】
このように、本発明では仕切壁Ｂに対して取付リブ５と安定用リブ８とを一体形成したことにより、複数の仕切壁ＢをパレットＰに対して積み重ねた場合には、従来から必要としていたスペーサを用いずとも、複数の仕切壁Ｂの壁面同士を平行姿勢に維持し、多数の仕切壁Ｂを、比較的高く積み重ねた場合でも、それらの仕切壁Ｂを安定させた状態で積み重ね状態に維持し、このように積み重ねた状態では曲げ方向に力を作用させないので、この積み重ね状態で長期間保存した場合でも仕切壁に反りを発生させないものにしている。特に、取付リブ５と安定用リブ８とを表裏する位置関係に配置してあり、平面視で、これらのリブの長手方向が直交する方向なので、この部位の厚みを増して強度を高めるばかりで無く、仕切壁Ｂの壁面方向の強度を高めて反り等の変形も良好に防止しているのである。
【００２２】
特に、この実施の形態では仕切壁Ｂの一方の壁面Ｓ１にのみ取付リブ５を形成したものを対象にしていたが、他方の壁面Ｓ２にも取付リブ５を形成したものに適用することも可能であり、このように両面に取付リブ５を形成したものでは、両面に安定用リブ８を形成することにより、前述と同様に仕切壁Ｂを重ね合わせた状態で仕切壁Ｂの壁面Ｓ１、Ｓ２同士を平行姿勢に設定し得るものになるが、これに代えて取付リブ５を安定用リブ８として機能させることも可能である。その一例として、表裏の位置関係で取付リブ５が配置されたものでは、重ね合わせた状態で対向する位置にある取付リブ５を接触させて仕切壁Ｂの壁面Ｓ１、Ｓ２を平行させるよう取付リブ５の一方の突出量を設定することも可能である。この場合、一方を取付リブ５と考えた場合、他方の取付リブ５が安定用リブ８として機能するものである。他の例として、仕切壁Ｂの両面に取付リブ５を形成したものにおいて、例えば、表裏の取付リブ５が重なり合う位置関係にない場合には、何れかの壁面の側の取付リブ５の突出量を等しくすることにより、重ね合わせた状態で、この取付リブ５の突出端を壁面に接触させて対向する仕切壁Ｂの壁面Ｓ１、Ｓ２同士を平行姿勢に維持するよう構成しても良い。この場合も前述と同様に突出量を等しく設定した取付リブ５が安定用リブ８として機能する。
【００２３】
つまり、本発明における安定用リブ８は、仕切壁Ｂを重ね合わせた際に壁面Ｓ１、Ｓ２を平行姿勢に設定するための専用のものに限るものではなく、突出量の設定や形状の設定により仕切壁Ｂを重ね合わせた際に壁面Ｓ１、Ｓ２を平行させる機能を有するものであれば取付リブ５のように安定用リブ８に兼用して用い得るものを含む概念である。
【００２４】
〔別実施の形態〕
本発明は上記実施の形態以外に、例えば、以下に示すように構成することも可能である（この別実施の形態では前記実施の形態と同じ機能を有するものには、実施の形態と共通の番号、符号を付している）。
【００２５】
（ａ）図６に示すように、取付リブ５に接触する複数の安定用リブ８と、対向する仕切壁Ｂの壁面Ｓ１に接触する複数の安定用リブ８とを仕切壁に対して一体形成する。このように構成することにより、取付リブ５に接触する安定用リブ８と壁面Ｓ１に直接接触する安定用リブ８とにより対向する仕切壁Ｂの多くの壁面Ｓ１に対して安定用リブ８を接触させて仕切壁Ｂの端部のように垂れ下がりを発生しやすい部位の垂れ下がりを阻止して、仕切壁Ｂの反りの発生を一層良好に阻止できるものとなる。
【００２６】
（ｂ）図面には示さないが、対向する仕切壁Ｂの壁面Ｓ１にだけ接触する複数の安定用リブ８を仕切壁Ｂに対して一体形成する。このように構成したものでは、異なる成形型で製造されたもので、取付リブ５の配置や形状が異なる複数種の仕切壁Ｂを重ね合わせた場合でも、対向する仕切壁Ｂの壁面Ｓ１、Ｓ２同士を平行姿勢にすることを可能にする。特に、取付リブ５に対して荷重を作用させないものとなり、高く積み上げた場合でも取付リブ５を傷めることがない。
【図面の簡単な説明】
【図１】浄化槽本体と仕切壁とを示す分解斜視図
【図２】分解状態の浄化槽本体と仕切壁とを示す断面図
【図３】仕切壁の両面を示す斜視図
【図４】積み重ね状態の仕切壁を示す断面図
【図５】積み重ね状態の取付リブと安定用リブとを示す断面図
【図６】別実施の形態（ａ）の仕切壁の積み重ね状態を示す断面図
【図７】従来の技術の仕切壁の積み重ね状態を示す断面図
【符号の説明】
５　　　　　　　取付リブ
８　　　　　　　安定用リブ
Ａ　　　　　　　浄化槽本体
Ｂ　　　　　　　仕切壁
Ｓ１、Ｓ２　　　壁面
Ｔ　　　　　　　位置決め部
【図１】
2004131146.tif 000003
【図２】
2004131146.tif 000004
【図３】
2004131146.tif 000005
【図４】
2004131146.tif 000006
【図５】
2004131146.tif 000007
【図６】
2004131146.tif 000008
【図７】
2004131146.tif 000009